(57)【要約】【課題】１回の放送分のＥＰＧ情報の受信中においても、視聴者がリアルタイムで、ＥＰＧ情報の受信状態を正確に知ることができる受信装置を提供する。【解決手段】ＥＰＧ情報の受信中において、マイコン６はパリティチェックの回数をＥＰＧ情報の受信ブロック数として、メモリ８を用いて更新していく。また、パリティチェックによって誤りが検出された回数を受信エラーブロック数としてメモリ９を用いて更新していく。そして、マイコン６はメモリ８、９を用いて受信誤り率を逐次更新し、これらの情報を蛍光表示管１１に表示する。【選択図】図１
2007180928.tif 000002
【特許請求の範囲】
【請求項１】
ＥＰＧ情報を受信する受信装置において、
前記ＥＰＧ情報の受信ブロック数を計数する第１の計数手段と、
前記受信ブロックごとに誤り検出符号による誤り検出を行い、受信エラーブロック数を計数する第２の計数手段と、
前記受信ブロック数を記憶する第１の記憶手段と、
前記受信エラーブロック数を記憶する第２の記憶手段と、
その時点までの前記受信ブロック数と、その時点までの前記受信エラーブロック数とに基づき、その時点までの受信誤り率を演算する受信誤り率演算手段と、
前記受信誤り率を表示装置にリアルタイムに表示させる表示制御手段とを備え、
前記表示制御手段は、前記受信誤り率をＯＳＤ表示させる及び／又は補助表示装置に表示させることを特徴とする受信装置。
【請求項２】
ＥＰＧ情報を受信する受信装置において、
前記ＥＰＧ情報の受信ブロック数を計数する第１の計数手段と、
前記受信ブロックごとに誤り検出符号による誤り検出を行い、受信エラーブロック数を計数する第２の計数手段と、
前記受信ブロック数を記憶する第１の記憶手段と、
前記受信エラーブロック数を記憶する第２の記憶手段と、
その時点までの前記受信ブロック数と、その時点までの前記受信エラーブロック数とに基づき、その時点までの受信誤り率を演算する受信誤り率演算手段と、
前記受信誤り率を表示装置にリアルタイムに表示させる表示制御手段とを備えたことを特徴とする受信装置。
【請求項３】
前記表示制御手段は、前記受信誤り率をＯＳＤ表示させる及び／又は補助表示装置に表示させることを特徴とする請求項２に記載の受信装置。
【発明の詳細な説明】
【技術分野】
【０００１】
本発明は、ＥＰＧ(Ｅｌｅｃｔｒｉｃ  Ｐｒｏｇｒａｍ  Ｇｕｉｄｅ、電子番組ガイド)情報を受信する受信装置に関する。
【背景技術】
【０００２】
近年、テレビジョン放送の番組表などを、テレビジョン装置などの表示装置に電子的に表示するシステムであるＥＰＧが普及してきた。ＥＰＧを用いると、テレビジョン装置などの表示装置でテレビジョン放送の番組表などを見られるほか、機器やサービスによっては、表示されたテレビジョン放送の番組表からワンタッチで、ビデオなどの記録装置に対する記録予約が可能となる、あらかじめ入力されたキーワードを含む番組を自動的に記録装置に記録することが可能となるなどの便利な機能がある。
【０００３】
一般的な地上波においては、ＥＰＧ情報は、テレビジョン放送の垂直消去帰線期間（ＶＢＩ）に挿入されてテキストファイルとして送信されている。受信装置はこのＥＰＧ情報を受信して記憶装置に記憶し、ユーザの指示に応じて、テレビジョン装置などの表示装置にテレビジョン放送の番組表などを表示したり、ビデオなどの記録装置に対する記録予約を行ったりする。
【０００４】
ところで、テレビジョン放送の電波伝搬時においては、ノイズやフェージングなどの影響で、信号の劣化、歪みなどが発生する。そのため、送信信号と受信信号が異なり、送信側が意図した情報とは異なる情報が受信側の表示装置に表示されるということが起こり得る。
【０００５】
特許文献１に記載の発明は、テレビジョン装置などの表示装置にリアルタイムで字幕などの文字情報を表示するためにＶＢＩに挿入された、クローズドキャプション信号の受信状態の良否を視聴者に知らせることが可能なクローズドキャプション信号受信装置に関するものである。
【０００６】
特許文献１に記載の発明によると、受信したクローズドキャプション信号にスライス処理を施すことによって得られた二値化信号に対してパリティチェックによる誤り検出を行い、誤りが検出された回数（受信エラーブロック数）と受信回数（受信ブロック数）の比を計算し、その値を誤り率としてＯＳＤ（Ｏｎ  Ｓｃｒｅｅｎ  Ｄｉｓｐｌａｙ）表示するクローズドキャプション信号受信装置が提供される。したがって、特許文献１に記載のクローズドキャプション信号受信装置を用いれば、視聴者は、ＯＳＤ表示された誤り率から、クローズドキャプション信号の受信状態の良否を判断することができる。
【特許文献１】特開２０００−６９３８８号公報
【発明の開示】
【発明が解決しようとする課題】
【０００７】
ところで、上記クローズドキャプション信号に基づく情報は、字幕などの文字情報として、テレビジョン装置などの表示装置にリアルタイムに表示される。そのため、視聴者の側からすると、テレビジョン装置などの表示装置にリアルタイムに表示されている字幕などの文字情報から、正確な誤り率は分からなくとも、大体の受信状態は判断することが可能である。
【０００８】
しかしながら、一般的な地上波において、同様にＶＢＩに挿入されて放送されているＥＰＧ情報は、放送される時間が限られている上に、１回の放送分のＥＰＧ情報を全て受信した後でないと、上記ＥＰＧ情報に基づいて得られるテレビジョン放送の番組表などを、テレビジョン装置などの表示装置に電子的に表示することができない。
【０００９】
したがって、視聴者の側からすると、１回の放送分のＥＰＧ情報を全て受信した後に、上記ＥＰＧ情報に基づいて得られるテレビジョン放送の番組表などを、テレビジョン装置などの表示装置に電子的に表示させて初めて、大体の受信状態を判断することができる。したがって、ＥＰＧ情報を全て受信するまでは、インターネットや新聞などといった、テレビジョン放送の番組表などを得るための代替手段が必要かどうか判断できず、利便性に問題があるといえる。
【００１０】
以上の問題点を鑑みて、本発明においては、１回の放送分のＥＰＧ情報の受信中においても、視聴者がリアルタイムで、ＥＰＧ情報の受信状態を正確に知ることができる受信装置を提供することを目的とする。
【課題を解決するための手段】
【００１１】
本発明においては、受信装置は、ＥＰＧ情報を受信する受信装置において、前記ＥＰＧ情報の受信ブロック数を計数する第１の計数手段と、前記受信ブロックごとに誤り検出符号による誤り検出を行い、受信エラーブロック数を計数する第２の計数手段と、前記受信ブロック数を記憶する第１の記憶手段と、前記受信エラーブロック数を記憶する第２の記憶手段と、その時点までの前記受信ブロック数と、その時点までの前記受信エラーブロック数とに基づき、その時点までの受信誤り率を演算する受信誤り率演算手段と、前記受信誤り率を表示装置にリアルタイムに表示させる表示制御手段とを備え、前記表示制御手段は、前記受信誤り率をＯＳＤ表示させる及び／又は補助表示装置に表示させることを特徴とする。
【００１２】
これによると、１回の放送分のＥＰＧ情報の受信中においても、視聴者がリアルタイムで、ＥＰＧ情報の受信状態を正確に知ることができる受信装置が提供される。
【００１３】
本発明においては、受信装置は、ＥＰＧ情報を受信する受信装置において、前記ＥＰＧ情報の受信ブロック数を計数する第１の計数手段と、前記受信ブロックごとに誤り検出符号による誤り検出を行い、受信エラーブロック数を計数する第２の計数手段と、前記受信ブロック数を記憶する第１の記憶手段と、前記受信エラーブロック数を記憶する第２の記憶手段と、その時点までの前記受信ブロック数と、その時点までの前記受信エラーブロック数とに基づき、その時点までの受信誤り率を演算する受信誤り率演算手段と、前記受信誤り率を表示装置にリアルタイムに表示させる表示制御手段とを備えたことを特徴とする。
【００１４】
これによると、第１の計数手段と第１の記憶手段とを用いることで、ＥＰＧ情報の受信ブロック数をリアルタイムに更新していき、第２の計数手段と第２の記憶手段とを用いることで、ＥＰＧ情報の受信エラーブロック数をリアルタイムに更新していき、受信誤り率演算手段がこの受信ブロック数と受信エラーブロック数とに基づいて、受信誤り率をリアルタイムに更新し、その受信誤り率を表示装置にリアルタイムに表示させることができる受信装置が提供される。したがって、１回の放送分のＥＰＧ情報の受信中においても、表示装置に表示された受信誤り率を参照することによって、視聴者がリアルタイムで、ＥＰＧ情報の受信状態を知ることができる。したがって、受信状態が悪い場合には、インターネットや新聞などといった、テレビジョン放送の番組表などを得るための代替手段を用いるという判断を、ＥＰＧ情報の受信終了前に行うことができ、利便性が向上する。
【００１５】
本発明においては、上記構成の受信装置において、前記表示制御手段は、前記受信誤り率をＯＳＤ表示させる及び／又は補助表示装置（例えば、受信装置に内蔵された蛍光表示管）に表示させることを特徴とする。
【００１６】
これによると、表示制御手段は、受信誤り率をＯＳＤ表示させる及び／又は補助表示装置に表示させることができる。したがって、受信装置が、ＥＰＧ情報の取得を、受信装置の電源はＯＦＦになっており、受信装置のチューナーやメモリ、ＣＰＵなどには電源が入っている状態（内部Ｐｏｗｅｒ  ｏｎ状態）においてのみ行うものである場合には、受信誤り率を補助表示装置によって表示させ、受信装置が、ＥＰＧ情報の取得を、受信装置の電源がＯＮになっているときにも、録画中を除いて、ＥＰＧ放送開始に合わせて、ＥＰＧ放送を行うホスト局に自動的にチャンネルを切り換えて行うものである場合、あるいは受信装置がチューナーを複数備えているものである場合には、受信誤り率をＯＳＤ表示のみさせる、あるいはＯＳＤ表示と補助表示装置による表示の両方をさせるといったように、受信装置の仕様に合わせて表示装置を選択することが可能となる。また、コストや視聴し易さなど目的を考慮した選択も可能となる。
【発明の効果】
【００１７】
本発明によると、１回の放送分のＥＰＧ情報の受信中においても、視聴者がリアルタイムで、ＥＰＧ情報の受信状態を正確に知ることができる受信装置が提供される。
【発明を実施するための最良の形態】
【００１８】
本発明の実施形態について、図面を用いて説明すれば以下の通りである。
【００１９】
図１は、本発明の実施形態に係る受信装置１の概略の構成を示すブロック図である。本実施形態に係る受信装置１は、チューナー２と、信号処理部３と、出力処理部４（表示制御手段）と、ＥＰＧデータ抜き取り回路５と、マイコン６（第１の計数手段、第２の計数手段、受信誤り率演算手段、表示制御手段）と、メモリ７と、メモリ８（第１の記憶手段）と、メモリ９（第２の記憶手段）と、ＯＳＤ回路１０と、蛍光表示管１１（表示装置、補助表示装置）と、映像表示手段１２（表示装置）とを備え、チューナー２はアンテナ２０に接続されている。
【００２０】
チューナー２は、放送信号を受信し、受信した放送信号に対応する中間周波信号を信号処理部３に出力する。信号処理部３は、チューナー２からの中間周波信号に各種信号処理を施し、得られた出力信号を、出力処理部４へ出力する。
【００２１】
ＥＰＧデータ抜き取り回路５は、チューナー２から送られた、放送信号の垂直消去帰線期間（ＶＢＩ）に重畳されているＥＰＧ信号にスライス処理を行い、二値化信号を抽出する。そして、この二値化信号がマイコン６に送られ、マイコン６がパリティチェック（誤り検出符号による誤り検出）をしながら二値化信号を解読し、その解読データがメモリ７に記憶される。また、マイコン６は、メモリ８、９を用いながら、ＥＰＧ情報の受信誤り率を演算する。そして、メモリ７に記憶された解読データは、ユーザからのＥＰＧ情報の出力要求に応じて、マイコン６経由でＯＳＤ回路１０に送られる。また、マイコン６によって演算されたＥＰＧ情報の受信誤り率情報は、蛍光表示管１１に送られる。なお、マイコン６による、メモリ８、９を用いた、ＥＰＧ情報の受信誤り率の演算方法についての詳細は後述する。
【００２２】
ＯＳＤ回路１０は、ユーザからのＥＰＧ情報の出力要求に応じて、マイコン６から送られた解読データを処理してＯＳＤ信号を生成し、上記ＯＳＤ信号を出力処理部４に出力する。そして、出力処理部４は、信号処理部３からの出力信号にＯＳＤ回路１０からのＯＳＤ信号を重畳し、映像表示手段１２に出力する。
【００２３】
また、蛍光表示管１１は、受信装置１に内蔵された補助表示装置であり、マイコン６から送られたＥＰＧ情報の受信誤り率を表示する。
【００２４】
以下、マイコン６による、ＥＰＧ情報の受信誤り率の演算方法の詳細を示す。マイコン６はパリティチェックの回数をＥＰＧ情報の受信ブロック数として、メモリ８を用いて更新していく。また、パリティチェックによって誤りが検出された回数を受信エラーブロック数としてメモリ９を用いて更新していく。そして、マイコン６は、メモリ９に格納された受信エラーブロック数をメモリ８に格納された受信ブロック数で割って１００を掛けることによってＥＰＧ情報の受信誤り率を演算し、この受信誤り率が蛍光表示管１１に送られる。
【００２５】
そして、この受信誤り率は、ＥＰＧ情報の受信中は逐次更新され、その都度最新の受信誤り率が蛍光表示管１１に表示される。そして、１回の放送分のＥＰＧ情報の受信終了によって、最終的なＥＰＧ情報の受信誤り率が確定する。
【００２６】
以上をまとめると、本実施形態に係る受信装置１は、図２のフローチャートに示す処理を行う。すなわち、ＥＰＧ情報の受信が開始されると（Ｓ1）、蛍光表示管１１に受信開始を知らせる情報が表示され（Ｓ2）、ＥＰＧ情報の取得時間内においては（Ｓ3）、ＥＰＧ情報を受信すると（Ｓ4）、マイコン６によって、メモリ８の受信ブロック数が更新される（Ｓ5）。
【００２７】
そして、受信したＥＰＧ情報について、マイコン６によるパリティチェックが行われ（Ｓ6）、誤りが検出された場合には（Ｓ7）、マイコン６によって、メモリ９の受信エラーブロック数が更新される（Ｓ8）。次に、上述したとおりに、マイコン６によって、ＥＰＧ情報の受信誤り率が演算され（Ｓ9）、ＥＰＧ情報の受信誤り率が蛍光表示管１１に表示され（Ｓ10）、Ｓ3に戻る。
【００２８】
このように、蛍光表示管１１にＥＰＧ情報の受信誤り率をリアルタイムに表示するので、１回の放送分のＥＰＧ情報の受信中においても、蛍光表示管１１に表示された受信誤り率を参照することによって、視聴者がリアルタイムで、ＥＰＧ情報の受信状態を知ることができる。したがって、受信状態が悪い場合には、インターネットや新聞などといった、テレビジョン放送の番組表などを得るための代替手段を用いるという判断を、ＥＰＧ情報の受信終了前に行うことができ、利便性が向上する。
【００２９】
なお、以上の構成においては、受信誤り率を受信装置１に内蔵された補助表示装置である蛍光表示管１１に表示することとした。これは、現在一般に普及しているＥＰＧ情報を受信可能な受信装置においては、ＥＰＧ情報の取得は、受信装置の電源はＯＦＦになっており、受信装置のチューナーやメモリ、ＣＰＵなどには電源が入っている状態（内部Ｐｏｗｅｒ  ｏｎ状態）においてのみ行われるものが多いからである。
【００３０】
しかしながら、近年においては、２つ以上のチューナーを備えた受信装置が増えてきている。また、チューナーを１つのみ備えた受信装置においても、受信装置の電源がＯＮになっているときにも、録画中を除いて、ＥＰＧ放送開始に合わせて、ＥＰＧ放送を行うホスト局に自動的にチャンネルを切り換え、ＥＰＧ情報を受信する受信装置が増えてきている。そのような受信装置においては、マイコン６からＥＰＧ情報の受信誤り率データをＯＳＤ回路１０に送り、ＯＳＤ回路１０によってそれらのデータを処理してＯＳＤ信号として出力処理部４に出力することによって、受信誤り率を映像表示手段１２に出力するようにする、すなわち、ＯＳＤ表示するようにしてもよい。
【００３１】
なお、本発明は上記の実施の形態に限定されず、本発明の趣旨を逸脱しない範囲で、種々の変更が可能である。例えば、上記実施形態においては、受信誤り率は、数字で表されていたが、棒グラフなどで表してもよい。
【産業上の利用可能性】
【００３２】
本発明は、ＥＰＧ情報を受信する受信装置として有効である。
【図面の簡単な説明】
【００３３】
【図１】本発明の実施形態に係る受信装置の概略の構成を示すブロック図である。
【図２】本発明の実施形態に係る受信装置のＥＰＧ情報受信時の処理の流れを示すフローチャートである。
【符号の説明】
【００３４】
１    受信装置
４    出力処理部（表示制御手段）
６    マイコン（第１の計数手段、第２の計数手段、受信誤り率演算手段、表示制御手段）
８    メモリ（第１の記憶手段）
９    メモリ（第２の記憶手段）
１１    蛍光表示管（表示装置、補助表示装置）
１２    映像表示手段（表示装置）
【図１】
2007180928.tif 000003
【図２】
2007180928.tif 000004